(57)【要約】【課題】横置き縦置き両方の仕様を満たす吊り下げ支持タイプの光学シートを使用し、光学シートに不要な応力を生じさせず、部品の共通化を実現した液晶表示装置を提供する。【解決手段】長方形の表示画面の液晶パネル１と、長方形の光学シート２と、バックライト３とを備え、光学シート２の周縁部に形成した複数の孔に複数のピン８を係合させて光学シート２を吊り下げ支持し、複数の孔は光学シート２の長辺及び短辺の周縁部に並設された複数の長辺側孔及び短辺側孔を有し、長辺側孔は、長辺と平行な方向の寸法がピン８の直径と略同一の位置決め部を有する位置決め孔と、長辺と平行な方向の寸法がピン８の直径より大で長辺と平行な縁部を備えた複数の支持孔とを含み、短辺側孔は、短辺と平行な方向の寸法がピン８の直径と略同一の位置決め部を有する位置決め孔と、短辺と平行な方向の寸法がピン８の直径より大で短辺と平行な縁部を備えた複数の支持孔とを含む。【選択図】図１
2009139572.tif 000002
【特許請求の範囲】
【請求項１】
長方形の表示画面を正面に有する液晶パネルと、前記液晶パネルの背面側に配置される長方形の光学シートと、該光学シートを背面側から照射するバックライトとを備え、前記光学シートの周縁部に形成した複数の孔に複数のピンを係合させて前記光学シートを吊り下げ支持する構造を有する液晶表示装置において、
前記複数の孔は、前記光学シートの隣り合う長辺及び短辺の周縁部に各辺に沿って並設された複数の長辺側孔及び複数の短辺側孔を有しており、
前記複数の長辺側孔は、長辺と平行な方向の位置決めをするために長辺と平行な方向の寸法が前記ピンの直径と略同一となる位置決め部を有する位置決め孔と、長辺と平行な方向の寸法が前記ピンの直径より大で、近接する長辺の側に該長辺と平行な縁部を備えた複数の支持孔とを含み、
前記複数の短辺側孔は、短辺と平行な方向の位置決めをするために短辺と平行な方向の寸法が前記ピンの直径と略同一となる位置決め部を有する位置決め孔と、短辺と平行な方向の寸法が前記ピンの直径より大で、近接する短辺の側に該短辺と平行な縁部を備えた複数の支持孔とを含むことを特徴とする液晶表示装置。
【請求項２】
前記長辺側孔の位置決め孔は長辺と平行な方向の略中央に位置していることを特徴とする請求項１に記載の液晶表示装置。
【請求項３】
前記短辺側孔の位置決め孔は前記長辺側孔が位置する端部側に位置し、
前記長辺側孔の位置決め孔は、近接する長辺とは反対側に隣接させて、長辺と平行な方向の寸法が前記ピンの直径より大となる領域を有し、
前記短辺側孔の位置決め孔は、近接する長辺の側に隣接させて、長辺と平行な方向の寸法が前記ピンの直径より大となる領域を有し、
前記長辺側孔の支持孔は、前記長辺と平行な縁部とは反対側に、長辺と平行な方向の寸法が前記ピンの直径より大となる領域を有し、前記短辺側孔の支持孔は、前記短辺と平行な縁部とは反対側に、長辺と平行な方向及び短辺と平行な方向の寸法が前記ピンの直径より大となる領域を有していることを特徴とする請求項１に記載の液晶表示装置。
【請求項４】
前記長辺側孔の位置決め孔は、近接する長辺とは反対側に隣接させて、長辺と平行な方向及び短辺と平行な方向の寸法が前記ピンの直径より大となる領域を有し、
前記短辺側孔の位置決め孔は、近接する短辺とは反対側に隣接させて、長辺と平行な方向及び短辺と平行な方向の寸法が前記ピンの直径より大となる領域を有し、
前記長辺側孔の支持孔は、前記長辺と平行な縁部とは反対側に、長辺と平行な方向及び短辺と平行な方向の寸法が前記ピンの直径より大となる領域を有し、
前記短辺側孔の支持孔は、前記短辺と平行な縁部とは反対側に、長辺と平行な方向及び短辺と平行な方向の寸法が前記ピンの直径より大となる領域を有していることを特徴とする請求項１に記載の液晶表示装置。
【請求項５】
前記複数のピンとして、前記長辺側孔の各孔に係合する複数の長辺側ピン、又は、前記短辺側孔の各孔に係合する複数の短辺側ピンを備えていることを特徴とする請求項１から４の何れか１項に記載の液晶表示装置。
【請求項６】
前記複数のピンとして、前記長辺側孔の各孔に係合する複数の長辺側ピン、及び、前記短辺側孔の各孔に係合する複数の短辺側ピンを備えていることを特徴とする請求項３又は４に記載の液晶表示装置。
【請求項７】
前記複数のピンは、前記光学シートの背面側に位置して前記バックライトを保持するバックライトシャーシの前面の周縁部に設けてあることを特徴とする請求項１から６の何れか１項に記載の液晶表示装置。
【発明の詳細な説明】
【技術分野】
【０００１】
本発明は、長方形の表示画面を正面に有する液晶パネルと、該液晶パネルの背面側に配置される長方形の光学シートと、該光学シートを背面側から照射するバックライトとを備え、前記光学シートを吊り下げ支持する構造を有する液晶表示装置に関する。
【背景技術】
【０００２】
液晶表示装置では、従来、光学シートを保持する技術として、バックライトシャーシの周縁部の前面上部に突設した複数のピンに光学シートの周縁部の上部に形成した複数の孔を係合（貫通）させ、光学シートを吊り下げることにより、光学シートが自重で垂下してしわが発生しないようにした吊り下げ支持タイプが知られている。
【０００３】
また、光学シートを保持する別の構造として、矩形状の枠体の内部に収納した長方形の光学シートの１つの角部に近接した短辺側周縁部に、長軸が長辺に沿った楕円形状の長孔を形成し、該長孔を枠体に支持されたピンに係合させたものがある（特許文献１参照）。本構造では、バックライトからの熱によって膨張し、収縮する光学シートの長辺に沿った変位を許容する状態で位置決めし、しわの発生を防止するようにしている。
【特許文献１】特開平１１−２８１９６６号公報
【発明の開示】
【発明が解決しようとする課題】
【０００４】
液晶表示装置では、液晶テレビ、パーソナルコンピュータのディスプレイなど、長方形の表示画面の長辺が水平方向に向くように液晶パネルを配置する横置きが一般的であるが、例えばＣＡＤ用のディスプレイ、又は、駅、空港、ホールなどに設置する案内用ディスプレイ等、特に大型（例えば１００型以上）の液晶表示装置では、長方形の表示画面の短辺が水平方向に向くように液晶パネルを配置する縦置き用途がある。このような縦置き用途で光学シートを吊り下げ支持するためには短辺周縁部に支持用の孔を形成する必要があり、長辺周縁部に支持用の孔を設けた横置き仕様の光学シートとは別仕様になる。部品として横置き仕様の光学シートと縦置き仕様の光学シートの両方を用意することも可能であるが、１機種当たりの台数が少ない縦置き専用の光学シートを採用することは、保管スペースも大きくなり、部品管理上煩雑であり効率的ではない。
【０００５】
尚、特許文献１に記載の光学シート支持構造では、ピンに係合する光学シートの係合用孔は短辺側周縁部の１か所の長孔だけであるので、光学シートがバックライトの熱により膨張、収縮した場合に不均等な応力がシートに生じる可能性がある。
【０００６】
本発明は、上述したような事情に鑑みてなされたものであり、横置き仕様及び縦置き仕様の両方の仕様を満たす吊り下げ支持タイプの光学シートを使用し、光学シートに不要な応力を生じさせず、部品の共通化を実現した液晶表示装置を提供することを目的とする。
【課題を解決するための手段】
【０００７】
本発明に係る液晶表示装置は、長方形の表示画面を正面に有する液晶パネルと、前記液晶パネルの背面側に配置される長方形の光学シートと、該光学シートを背面側から照射するバックライトとを備え、前記光学シートの周縁部に形成した複数の孔に複数のピンを係合させて前記光学シートを吊り下げ支持する構造を有する液晶表示装置において、前記複数の孔は、前記光学シートの隣り合う長辺及び短辺の周縁部に各辺に沿って並設された複数の長辺側孔及び複数の短辺側孔を有しており、前記複数の長辺側孔は、長辺と平行な方向の位置決めをするために長辺と平行な方向の寸法が前記ピンの直径と略同一となる位置決め部を有する位置決め孔と、長辺と平行な方向の寸法が前記ピンの直径より大で、近接する長辺の側に該長辺と平行な縁部を備えた複数の支持孔とを含み、前記複数の短辺側孔は、短辺と平行な方向の位置決めをするために短辺と平行な方向の寸法が前記ピンの直径と略同一となる位置決め部を有する位置決め孔と、短辺と平行な方向の寸法が前記ピンの直径より大で、近接する短辺の側に該短辺と平行な縁部を備えた複数の支持孔とを含むことを特徴とする。
【０００８】
本発明によれば、光学シートを長辺が水平方向に向いた横置き状態で吊り下げ支持する場合は、光学シートの隣り合う長辺及び短辺のうち複数の長辺側孔が並設された長辺の周縁部を上側に位置させ、長辺に沿って並ぶ複数の長辺側孔のうち、位置決め孔が有する位置決め部を位置決め用のピンに係合させることにより、該位置決め部は長辺と平行な方向の寸法がピンの直径と略同一であるので光学シートは長辺と平行な方向に対して位置決めされる。また長辺と平行な方向の寸法がピンの直径より大きい複数の長辺側孔の支持孔を夫々支持用のピンに係合させることにより、各支持孔の近接する長辺の側に備えた縁部は上側に位置し近接する長辺と平行であるので、光学シートが膨張収縮した場合に、長辺と平行な方向の変位は支持孔の縁部がピンに支持された状態で位置決め孔による位置決め位置を中心として長辺に沿って相対移動することで許容され、短辺と平行な方向の変位では支持孔の縁部がピンに支持された状態で移動しない。一方、この横置きの場合には、光学シートの複数の短辺側孔に係合するピンは設けず、複数の短辺側孔は使用しない。その結果、光学シートを横置き状態で位置決めし、不要な応力を発生させずに安定に吊り下げ支持することができる。
【０００９】
光学シートを短辺が水平方向に向いた縦置き状態で吊り下げ支持する場合は、光学シートの隣り合う長辺及び短辺のうち複数の短辺側孔が並設された短辺の周縁部を上側に位置させ、短辺に沿って並ぶ複数の短辺側孔のうち、位置決め孔が有する位置決め部を位置決め用のピンに係合させることにより、該位置決め部は短辺と平行な方向の寸法が位置決めピンの直径と略同一であるので光学シートは短辺と平行な方向に対して位置決めされる。また短辺と平行な方向の寸法がピンの直径より大きい複数の短辺側孔の支持孔を夫々支持用のピンに係合させることにより、各支持孔の近接する短辺の側に備えた縁部は上側に位置し近接する短辺と平行であるので、光学シートが膨張収縮した場合に、短辺と平行な方向の変位は支持孔の縁部がピンに支持された状態で位置決め孔による位置決め位置を中心として短辺に沿って相対移動することで許容され、長辺と平行な方向の変位では支持孔の縁部がピンに支持された状態で移動しない。一方、この縦置きの場合には、光学シートの複数の長辺側孔に係合するピンは設けず、複数の長辺側孔は使用しない。その結果、光学シートを縦置き状態で位置決めし、不要な応力を発生させずに安定に吊り下げ支持することができる。
【００１０】
本発明に係る液晶表示装置は、前述の発明における前記長辺側孔の位置決め孔は長辺と平行な方向の略中央に位置していることを特徴とする。
長方形の光学シートが膨張収縮する場合に短辺に比べて長辺と平行な方向の変位は大きいが、本発明によれば、光学シートを横置き状態で吊り下げ支持する場合に、長辺側孔の位置決め孔は長辺と平行な方向の略中央に位置しているので、長辺側孔の支持孔の上側に位置する縁部がピンに支持された状態で長辺と平行な方向の位置決め位置を中心として長辺に沿って相対移動する範囲は、光学シートの長辺全長が膨張収縮する変位量の半分に収まり、長辺と平行な方向の長辺側孔の支持孔の寸法を極力小さくすることができる。
【００１１】
本発明に係る液晶表示装置は、前述の発明における前記短辺側孔の位置決め孔は前記長辺側孔が位置する端部側に位置し、前記長辺側孔の位置決め孔は、近接する長辺とは反対側に隣接させて、長辺と平行な方向の寸法が前記ピンの直径より大となる領域を有し、前記短辺側孔の位置決め孔は、近接する長辺の側に隣接させて、長辺と平行な方向の寸法が前記ピンの直径より大となる領域を有し、前記長辺側孔の支持孔は、前記長辺と平行な縁部とは反対側に、長辺と平行な方向の寸法が前記ピンの直径より大となる領域を有し、前記短辺側孔の支持孔は、前記短辺と平行な縁部とは反対側に、長辺と平行な方向及び短辺と平行な方向の寸法が前記ピンの直径より大となる領域を有していることを特徴とする。
【００１２】
本発明によれば、光学シートを横置き状態で吊り下げ支持する場合は、長辺側孔の位置決め孔の位置決め部を長辺側の位置決め用のピンに係合させ、複数の長辺側孔の支持孔の上側に位置し長辺と平行な縁部を夫々支持用のピンに係合させるとともに、短辺側孔の位置決め孔に近接する長辺の側に隣接させて設けた領域を短辺側の位置決め用のピンに係合させ、複数の短辺側孔の支持孔が短辺と平行な縁部とは反対側に有する領域を夫々短辺側の支持用のピンに係合させる。このとき、短辺側孔の位置決め孔は長辺側孔と同じ端部側に位置し、光学シートの膨張収縮によって短辺側孔の位置決め孔が位置決め用のピンに対して短辺と平行な方向に相対変位する変位量を無視することができるので、短辺側孔の位置決め孔に隣接させて設けた領域の短辺と平行な方向の寸法をピンと同程度に小さくすることができる。短辺側孔の支持孔は長辺側孔が位置する端部から離れて位置するが、各支持孔の短辺と平行な縁部とは反対側の領域は長辺と平行な方向及び短辺と平行な方向の寸法がピンの直径より大きいので、光学シートの膨張収縮による短辺側孔の各支持孔の領域と各ピンとの長辺と平行な方向及び短辺と平行な方向の相対移動が許容される。以上のように、この横置きの場合には、光学シートの複数の長辺側孔及び短辺側孔の夫々に係合するピンを設け、長辺側孔は位置決め及び支持用の孔として機能し、短辺側孔は相対移動を許容する孔として機能する。
【００１３】
一方、光学シートを縦置き状態で吊り下げ支持する場合は、短辺側孔の位置決め孔の位置決め部を短辺側の位置決め用のピンに係合させ、複数の短辺側孔の支持孔の上側に位置し短辺と平行な縁部を夫々支持用のピンに係合させるとともに、長辺側孔の位置決め孔に近接する長辺とは反対側に隣接させて設けた領域を長辺側の位置決め用のピンに係合させ、複数の長辺側孔の支持孔が長辺と平行な縁部とは反対側に有する領域を夫々長辺側の支持用のピンに係合させる。このとき、複数の長辺側孔は短辺側孔の位置決め孔と同じ端部側に位置し、光学シートの膨張収縮によって各長辺側孔が各係合ピンに対して短辺と平行な方向に相対変位する変位量を無視することができるので、長辺側孔の位置決め孔に隣接させて設けた領域及び長辺側孔の複数の支持孔が長辺と平行な縁部とは反対側に有する領域の短辺と平行な方向の各寸法をピンと同程度に小さくすることができる。長辺側孔の位置決め孔の位置決め部に隣接した領域及び長辺側孔の支持孔の長辺と平行な縁部とは反対側の領域の長辺と平行な方向の寸法がピンの直径より大きいので、光学シートの膨張収縮による長辺側孔の各孔と各ピンとの長辺と平行な方向への相対移動が許容される。以上のように、この縦置きの場合には、光学シートの複数の長辺側孔及び短辺側孔の夫々に係合するピンを設け、短辺側孔は位置決め及び支持用の孔として機能し、長辺側孔は相対移動を許容する孔として機能する。
【００１４】
本発明に係る液晶表示装置は、前述の発明における前記長辺側孔の位置決め孔は、近接する長辺とは反対側に隣接させて、長辺と平行な方向及び短辺と平行な方向の寸法が前記ピンの直径より大となる領域を有し、前記短辺側孔の位置決め孔は、近接する短辺とは反対側に隣接させて、長辺と平行な方向及び短辺と平行な方向の寸法が前記ピンの直径より大となる領域を有し、前記長辺側孔の支持孔は、前記長辺と平行な縁部とは反対側に、長辺と平行な方向及び短辺と平行な方向の寸法が前記ピンの直径より大となる領域を有し、前記短辺側孔の支持孔は、前記短辺と平行な縁部とは反対側に、長辺と平行な方向及び短辺と平行な方向の寸法が前記ピンの直径より大となる領域を有していることを特徴とする。
【００１５】
本発明によれば、光学シートを横置き状態で吊り下げ支持する場合は、長辺側孔の位置決め孔の位置決め部を長辺側の位置決め用のピンに係合させ、複数の長辺側孔の支持孔の上側に位置し長辺と平行な縁部を夫々支持用のピンに係合させるとともに、短辺側孔の位置決め孔に近接する短辺とは反対側に隣接させて設けた領域を短辺側の位置決め用のピンに係合させ、複数の短辺側孔の支持孔が短辺と平行な縁部とは反対側に有する領域を夫々短辺側の支持用のピンに係合させる。このとき、長辺側孔の各支持孔の長辺と平行な縁部とは反対側の領域は長辺と平行な方向の寸法がピンの直径より大きいので、光学シートの膨張収縮による該領域とピンとの長辺と平行な方向の相対移動が許容される。また、短辺側孔の位置決め孔に近接する短辺とは反対側に隣接させて設けた領域及び短辺側孔の各支持孔が短辺と平行な縁部とは反対側に有する領域の各領域は長辺と平行な方向及び短辺と平行な方向の寸法がピンの直径より大きいので、光学シートの膨張収縮による各領域と各ピンとの長辺と平行な方向及び短辺と平行な方向の相対移動が許容される。以上のように、この横置きの場合には、光学シートの複数の長辺側孔及び短辺側孔の夫々に係合するピンを設け、長辺側孔は位置決め及び支持用の孔として機能し、短辺側孔は相対移動を許容する孔として機能する。
【００１６】
一方、光学シートを縦置き状態で吊り下げ支持する場合は、短辺側孔の位置決め孔の位置決め部を短辺側の位置決め用のピンに係合させ、複数の短辺側孔の支持孔の上側に位置し短辺と平行な縁部を夫々支持用のピンに係合させるとともに、長辺側孔の位置決め孔に近接する長辺とは反対側に隣接させて設けた領域を長辺側の位置決めピンに係合させ、複数の長辺側孔の支持孔が短辺と平行な縁部とは反対側に有する領域を夫々長辺側の支持用のピンに係合させる。このとき、短辺側孔の各支持孔の短辺と平行な縁部とは反対側の領域は短辺と平行な方向の寸法がピンの直径より大きいので、光学シートの膨張収縮による該領域とピンとの短辺と平行な方向の相対移動が許容される。また、長辺側孔の位置決め孔に近接する長辺とは反対側に隣接させて設けた領域及び長辺側孔の各支持孔が長辺と平行な縁部とは反対側に有する領域の各領域は短辺と平行な方向及び長辺と平行な方向の寸法がピンの直径より大きいので、光学シートの膨張収縮による各領域と各ピンとの短辺と平行な方向及び長辺と平行な方向の相対移動が許容される。以上のように、この縦置きの場合には、光学シートの複数の長辺側孔及び短辺側孔の夫々に係合するピンを設け、短辺側孔は位置決め及び支持用の孔として機能し、長辺側孔は相対移動を許容する孔として機能する。
【００１７】
本発明に係る液晶表示装置は、前述の発明における前記複数のピンとして、前記長辺側孔の各孔に係合する複数の長辺側ピン、又は、前記短辺側孔の各孔に係合する複数の短辺側ピンを備えていることを特徴とする。
本発明によれば、液晶パネルの表示画面の長辺が水平方向に向く横置き用途の液晶表示装置の場合には、短辺側孔の各孔に係合する短辺側ピンは備えず、長辺側孔の各孔に係合する複数の長辺側ピンを備えて、該複数の長辺側ピンに光学シートの長辺側孔の各孔を係合させて吊り下げ支持する。液晶パネルの表示画面の短辺が水平方向に向く縦置き用途の液晶表示装置の場合には、長辺側孔の各孔に係合する長辺側ピンは備えず、短辺側孔の各孔に係合する複数の短辺側ピンを備えて、該複数の短辺側ピンに光学シートの短辺側孔の各孔を係合させて吊り下げ支持する。
【００１８】
本発明に係る液晶表示装置は、前述の発明における前記複数のピンとして、前記長辺側孔の各孔に係合する複数の長辺側ピン、及び、前記短辺側孔の各孔に係合する複数の短辺側ピンを備えていることを特徴とする。
本発明によれば、液晶パネルの表示画面の長辺が水平方向に向く横置き用途の液晶表示装置の場合には、複数の長辺側ピンに光学シートの長辺側孔の各孔を係合させて吊り下げ支持するとともに、複数の短辺側ピンに光学シートの短辺側孔の各孔を相対移動が許容された状態で係合させる。液晶パネルの表示画面の短辺が水平方向に向く縦置き用途の液晶表示装置の場合には、複数の短辺側ピンに光学シートの短辺側孔の各孔を係合させて吊り下げ支持するとともに、複数の長辺側ピンに光学シートの長辺側孔の各孔を相対移動が許容された状態で係合させる。従って、最終出荷段階等において横置き用の液晶表示装置とするか、又は縦置き用の液晶表示装置とするか選択することができる。
【００１９】
本発明に係る液晶表示装置は、前述の発明における前記複数のピンは、前記光学シートの背面側に位置して前記バックライトを保持するバックライトシャーシの前面の周縁部に設けてあることを特徴とする。
本発明によれば、横置き用途の液晶表示装置の場合には、横長状のバックライトシャーシの前面の上部の周縁部に設けた複数のピンに、光学シートに設けた複数の長辺側孔を係合させ、さらに横長状のバックライトシャーシの前面の側部の周縁部に複数のピンを設けたときは、該側部の周縁部の複数のピンに光学シートに設けた複数の短辺側孔を係合させる。
縦置き用途の液晶表示装置の場合には、縦長状のバックライトシャーシの前面の上部の周縁部に設けた複数のピンに、光学シートに設けた複数の短辺側孔を係合させ、さらに縦長状のバックライトシャーシの前面の側部の周縁部に複数のピンを設けたときは、該側部の周縁部の複数のピンに光学シートに設けた複数の長辺側孔を係合させる。
【発明の効果】
【００２０】
本発明に係る液晶表示装置によれば、長方形の光学シートの隣り合う長辺及び短辺の周縁部に、各辺に沿って複数の長辺側孔及び複数の短辺側孔を並設し、複数の長辺側孔もしくは複数の短辺側孔、又は複数の長辺側孔及び複数の短辺側孔の両方を複数のピンに係合させて、横置き又は縦置き状態で光学シートを吊り下げるようにしたので、横置き仕様及び縦置き仕様の両方の仕様を満たす吊り下げ支持タイプの光学シートを使用することができる。
この際、横置き状態では長辺側孔のうちの位置決め孔によって長辺と平行な方向の位置決めを行う一方、他の長辺側孔は光学シートの伸縮による係合ピンとの相対変位を許容する形状に形成し、短辺側孔の各孔は、該孔に係合するピンを設けないか、又は光学シートの伸縮による係合ピンとの相対変位を許容する形状に形成してあるので、光学シートには不要な応力を生じさせない。また、縦置き状態では短辺側孔のうちの位置決め孔によって短辺と平行な方向の位置決めを行う一方、他の短辺側孔は光学シートの伸縮による係合ピンとの相対変位を許容する形状に形成し、短辺側孔の各孔は、該孔に係合するピンを設けないか、又は光学シートの伸縮による係合ピンとの相対変位を許容する形状に形成してあるので、光学シートには不要な応力を生じさせない。
その結果、横置き仕様及び縦置き仕様の両方の仕様を満たす横置き縦置き共用の光学シートを使用し、光学シートに不要な応力を生じさせず、部品の共通化を実現した液晶表示装置が提供される。
【００２１】
また、横置き縦置き共用の光学シートを使用して、該光学シートの長辺及び短辺の周縁部に並設した各孔に夫々係合する複数の長辺側ピン及び短辺側ピンを設ける場合に、長辺側ピン及び短辺側ピンの一方だけを設けて横置き又は縦置き専用の装置に構成するのか、長辺側ピン及び短辺側ピンの両方を設けて横置き縦置き共用の装置に構成し、最終出荷段階等において横置き用の装置又は縦置き用の装置とするのか、種々の選択が可能となり、機種設計の自由度を高くできる液晶表示装置が提供される。
【発明を実施するための最良の形態】
【００２２】
以下、本発明に係る液晶表示装置の実施の形態を図面に基づいて説明する。
実施の形態１
図１は本発明に係る液晶表示装置の実施の形態１の構成を示す断面図である。図１の液晶表示装置は横置き縦置き共用の装置であるが、ここでは横置きタイプの液晶表示装置を例として説明する。本液晶表示装置は、長方形の表示画面を正面に有する液晶パネル１と、液晶パネル１の背面側に配置される長方形の光学シート２と、光学シート２を背面側から照射するバックライト３と、バックライト３を保持するバックライトシャーシ６とを備えている。
【００２３】
バックライト３は複数の直線状の冷陰極蛍光管又は熱陰極蛍光管にて構成され、該複数の蛍光管を横置き状態で、前面に長方形の開口を有する直方体状の箱体からなるバックライトシャーシ６の内部に上下方向に並置させている。バックライト３はランプ保持具７に保持され、該ランプ保持具７をバックライトシャーシ６の底壁６ａに設けた取付孔９に取り付けてある。バックライトシャーシ６の内部の壁面には反射膜１２が形成してある。
【００２４】
液晶パネル１は、前面及び後面の周縁部を２つの枠状の挟持部材１３，１４にて挟持し、一方の挟持部材１４をバックライトシャーシ６の周縁部６ｂの外周面にビス止めして固定している。
【００２５】
光学シート２は、バックライト３からの光を拡散させるための拡散シート、Ｒ−ＢＥＦ及びＤ−ＢＥＦ等の光学シートが積層された積層体である。光学シート２の材質は、表面及び裏面をポリエチレン系樹脂でコーティングしたポリカーボネート系樹脂であり、シートの厚みは０．５５ｍｍ程度である。
【００２６】
液晶パネル１、光学シート２、バックライト３及びバックライトシャーシ６は、正面キャビネット４及び背面キャビネット５により形成された空間内に配置されている。背面キャビネット５の周縁部には上下方向に沿う内壁面からなる受け部５ａが形成され、該受け部５ａに固定された支持枠１０にバックライトシャーシ６の周縁部６ｂの後面をビス止めして固定している。
【００２７】
本発明に係る液晶表示装置では、バックライトシャーシ６の長方形の開口の周囲に位置する周縁部６ｂのうち、上側に位置する長辺側の周縁部６ｂ１（図２参照）及び左右の一方の側に位置する短辺側の周縁部６ｂ２（図２参照）の前面に複数のピン８が前方に向けて突設してあり、この複数のピン８に光学シート２の周縁部に形成した孔を係合させて、光学シート２を吊り下げ支持する構造を有する。
【００２８】
図２は本発明に係る液晶表示装置の実施の形態１の主要部を示す正面図であり、図３は図２のＩＩＩ−ＩＩＩ線における断面図、図４は図２のＩＶ−ＩＶ線における断面図である。
バックライトシャーシ６の前面の周縁部６ｂのうち長辺側の周縁部６ｂ１に長辺に沿って等間隔で１３個の長辺側ピン８Ａが設けられ、短辺側の周縁部６ｂ２に短辺に沿って略等間隔で６個の短辺側ピン８Ｂが設けられている。１３個の長辺側ピン８Ａのうち長辺の中央に位置決めピンＬＰ７が位置し、位置決めピンＬＰ７の両側に支持用ピンＬＰ１〜ＬＰ６，ＬＰ８〜ＬＰ１３が並んでいる。６個の短辺側ピン８Ｂのうち、長辺側ピン８Ａが位置する端部側に位置決めピンＳＰ１が位置し、位置決めピンＳＰ１から反対側の端部に向って支持用ピンＳＰ２〜ＳＰ６が並んでいる。長辺側ピン８Ａ及び短辺側ピン８Ｂのピン径は同一の直径に形成してある。尚、図２では、バックライト３は記載を省略している。
【００２９】
図５は本発明に係る液晶表示装置の実施の形態１の光学シート２の正面図である。光学シート２は上側の長辺２Ａ及び該長辺２Ａに隣り合う一方の短辺２Ｂの周縁部に各長辺２Ａ及び短辺２Ｂに沿って間隔を隔てて、１３個の長辺側孔２ａ及び６個の短辺側孔２ｂが形成されており、これらの長辺側孔２ａ及び短辺側孔２ｂの配置は長辺側ピン８Ａ及び短辺側孔８Ｂの配置に対応する。１３個の長辺側孔２ａのうち長辺の中央に位置決め孔ＣＹ１が位置し、位置決め孔ＣＹ１の両側に夫々同形状の２個（合計４個）の支持孔Ｂ１，Ｂ１が並び、さらに支持孔Ｂ１，Ｂ１よりも長辺の両端部側に夫々同形状の４個（合計８個）の支持孔Ａ１，Ａ１，Ａ１，Ａ１が並んでいる。６個の短辺側孔２ｂのうち、長辺側孔２ａが位置する端部側に位置決め孔ＣＴ１が位置し、位置決め孔ＣＴ１から反対側の端部に向って同形状の５個の支持孔Ｄ１，Ｄ１，Ｄ１…が並んでいる。
【００３０】
長辺側の位置決め孔ＣＹ１は、長辺２Ａと平行な方向の位置決めのために長辺２Ａと平行な方向の寸法がピン８の直径と略同一となる位置決め部ｋｙ１を有し、位置決め部ｋｙ１に対して近接する長辺２Ａとは反対側に隣接させて、長辺２Ａと平行な方向の寸法がピン８の直径よりも大となる領域ｒｙ１を有している。領域ｒｙ１は、長辺２Ａと平行な方向において短辺側孔２ｂが位置する側の縁部が凸の半円形で反対側の縁部が方形の長孔に形成してある。位置決め部ｋｙ１は近接する長辺２Ａの方向に凸の半円形であり、領域ｒｙ１の方形の端部側に隣接して領域ｒｙ１と連続した孔を形成している。
【００３１】
長辺側の支持孔Ｂ１，Ｂ１は、長辺２Ａと平行な方向の寸法がピン８の直径よりも大で、近接する長辺２Ａ側に該長辺２Ａと平行な縁部ｆｂ１を備え、縁部ｆｂ１とは反対側に、長辺２Ａと平行な方向の寸法がピン８の直径よりも大の領域ｒｂ１を有している。領域ｒｂ１は、位置決め孔ＣＹ１の領域ｒｙ１と同様の長孔形状に、さらに近接する長辺２Ａの側に該長辺２Ａの方向に凸となる縁部ｆｂ１を有し、縁部ｆｂ１の両端部側を円弧状とした部分を付加した形状である。
【００３２】
長辺側の支持孔Ａ１，Ａ１，Ａ１，Ａ１は、長辺２Ａと平行な方向の寸法がピン８の直径よりも大で、近接する長辺２Ａ側に該長辺２Ａと平行な縁部ｆａ１を備え、縁部ｆａ１とは反対側に、長辺２Ａと平行な方向の寸法がピン８の直径よりも大となる領域ｒａ１を有している。該領域ｒａ１は支持孔Ｂ１，Ｂ１の領域ｒｂ１と同様の形状であるが、縁部ｆａ１は縁部ｆｂ１よりも長辺２Ａと平行な部分が長く形成してあり、領域ｒａ１は領域ｒｂ１よりも長辺２Ａと平行な方向の寸法が長い。尚、位置決め孔ＣＹ１の位置決め部ｋｙ１の長辺側端部は支持孔Ａ１，Ａ１，Ａ１，Ａ１の縁部ｆａ１及び支持孔Ｂ１，Ｂ１の縁部ｆｂ１と同一線上に位置しており、支持孔の機能も果たしている。
【００３３】
短辺側の位置決め孔ＣＴ１は、短辺２Ｂと平行な方向の位置決めのために短辺２Ｂと平行な方向の寸法がピン８の直径と略同一となる位置決め部ｋｔ１を有し、位置決め部ｋｔ１に対して近接する短辺２Ｂとは反対側で近接する長辺２Ａの側に隣接させて、長辺２Ａと平行な方向の寸法がピン８の直径よりも大となる領域ｒｔ１を有している。領域ｒｔ１は、長辺２Ａと平行な方向において近接する短辺２Ｂ側及び反対側の両縁部が共に半円形の長孔に形成してある。位置決め部ｋｔ１は、近接する短辺２Ｂの方向に凸の半円形で領域ｒｔ１の縁部よりも短辺２Ｂ側へ突き出し、領域ｒｔ１と一部重複した状態で領域ｒｔ１と連続した孔となる長孔に形成されている。
【００３４】
短辺側の支持孔Ｄ１，Ｄ１，Ｄ１…は、短辺２Ｂと平行な方向の寸法がピン８の直径よりも大で、近接する短辺２Ｂ側に該短辺２Ｂと平行な縁部ｆｄ１を備え、縁部ｆｄ１とは反対側に、長辺２Ａと平行な方向及び短辺２Ｂと平行な方向の寸法がピン８の直径よりも大となる領域ｒｄ１を有している。領域ｒｄ１は、長辺２Ａと平行な方向の寸法が短辺２Ｂと平行な方向の寸法よりも長く、各角部を円弧状とした長方形に形成してある。尚、位置決め孔ＣＴ１の位置決め部ｋｔ１の短辺側端部は支持孔Ｄ１，Ｄ１，Ｄ１…の縁部ｆｄ１と同一線上に位置しており、支持孔の機能も果たしている。
【００３５】
図６は本発明に係る液晶表示装置の実施の形態１の光学シート２とピン８との係合状態を示す断面図である。図６（ａ）は光学シート２を長辺２Ａが水平方向に向く横置き状態で吊り下げ支持する場合を示し、長辺側孔２ａの各孔ＣＹ１，Ａ１，Ｂ１がバックライトシャーシ６の長辺側の周縁部６ｂ１に設けた長辺側ピン８Ａの各ピンに係合して吊り下げられている。図６（ｂ）は光学シート２を短辺２Ｂが水平方向に向く縦置き状態で吊り下げ支持する場合を示し、短辺側孔２ｂの各孔ＣＴ１，Ｄ１がバックライトシャーシ６の短辺側の周縁部６ｂ２に設けた短辺側ピン８Ｂの各ピンに係合して吊り下げられている。
【００３６】
図７は本発明に係る液晶表示装置の実施の形態１の位置決め孔と位置決めピンとの係合位置の変化を示す図である。横置き状態（ａ）では、長辺側孔２ａの位置決め孔ＣＹ１の位置決め部ｋｙ１に位置決めピンＬＰ７が係合して位置決めがなされ、短辺側孔２ｂの位置決め孔ＣＴ１の領域ｒｔ１内に位置決めピンＳＰ１が係合する。縦置き状態（ｂ）では、短辺側孔２ｂの位置決め孔ＣＴ１の位置決め部ｋｔ１に位置決めピンＳＰ１が係合して位置決めがなされ、長辺側孔２ａの位置決め孔ＣＹ１の領域ｒｙ１内に位置決めピンＬＰ７が係合する。この横置き状態から縦置き状態へ光学シート２の支持を変更する場合、図７（ｂ）に矢印で示すように、長辺側の位置決めピンＬＰ７は位置決め孔ＣＹ１に対して、近接する長辺２Ａと斜めの角度をなして、近接する長辺２Ａから離れ短辺側孔２ｂが位置する短辺２Ｂに近づく向きに相対移動する。同様に、短辺側の位置決めピンＳＰ１は位置決め孔ＣＴ１に対して、近接する長辺２Ａと斜めの角度をなして、近接する長辺２Ａから離れ近接する短辺２Ｂに近づく向きに相対移動する。縦置き状態から横置き状態へ光学シート２の支持を変更する場合は逆に移動する。従って、長辺側の位置決め孔ＣＹ１は近接する長辺２Ａとは反対側に領域ｒｙ１を有する必要があり、短辺側の位置決め孔ＣＴ１は長辺側の位置決め孔ＣＹ１とは逆に、近接する長辺２Ａの側に領域ｒｔ１を有する必要がある。
【００３７】
図８は本発明に係る液晶表示装置の実施の形態１の光学シート２とピン８との係合位置の移動を示す図である。図８の左側部分は横置きの場合で、光学シート２が標準の寸法にある通常時、収縮した時及び膨張した時の夫々における光学シート２とピン８との相対移動を示す。長辺側の位置決め孔ＣＹ１の位置決め部ｋｙ１は位置決めピンＬＰ７に係合したままの状態を維持しており、これによって光学シート２は長辺２Ａと平行な方向に位置決めされる。長辺側の支持孔Ｂ１，Ｂ１は縁部ｆｂ１を支持用ピンＬＰ５〜６，ＬＰ８〜９に係合された状態で長辺２Ａと平行な方向に相対移動する。長辺側の支持孔Ａ１，Ａ１，Ａ１，Ａ１は縁部ｆａ１を支持用ピンＬＰ１〜４，ＬＰ１０〜１３に係合された状態で長辺２Ａと平行な方向に相対移動する。尚、図８は、図５において長辺側の位置決め孔ＣＹ１よりも左側に位置する支持孔Ａ１，Ａ１，Ａ１，Ａ１及び支持孔Ｂ１，Ｂ１の例を示しており、位置決め孔ＣＹ１よりも右側の支持孔Ａ１，Ａ１，Ａ１，Ａ１及び支持孔Ｂ１，Ｂ１の場合は収縮時と膨張時の相対移動の向きは逆になる。一方、短辺側の位置決め孔ＣＴ１は領域ｒｔ１内に位置決めピンＳＰ１を位置させた状態でほぼ長辺２Ａと平行な方向に相対移動する。短辺側の支持孔Ｄ１，Ｄ１，Ｄ１…は領域ｒｄ１内に支持用ピンＳＰ２〜６を位置させた状態で長辺２Ａと平行な方向及び短辺２Ｂと平行な方向に相対移動する。
【００３８】
図８の右側部分は縦置きの場合で、通常時、収縮時及び膨張時の夫々における光学シート２とピン８との相対移動を示す。短辺側の位置決め孔ＣＴ１の位置決め部ｋｔ１は位置決めピンＳＰ１に係合したままの状態を維持しており、これによって光学シート２は短辺２Ｂと平行な方向に位置決めされる。短辺側の支持孔Ｄ１，Ｄ１，Ｄ１…は縁部ｆｄ１を支持用ピンＳＰ２〜６に係合された状態で短辺２Ｂと平行な方向に相対移動する。一方、長辺側の位置決め孔ＣＹ１は領域ｒｙ１内に位置決めピンＬＰ７を位置させた状態でほぼ長辺２Ａと平行な方向に相対移動する。長辺側の支持孔Ｂ１，Ｂ１は領域ｒｂ１内に支持用ピンＬＰ５〜６，ＬＰ８〜９を位置させた状態でほぼ長辺２Ａと平行な方向に相対移動する。長辺側の支持孔Ａ１，Ａ１，Ａ１，Ａ１は領域ｒａ１内に支持用ピンＬＰ１〜４，ＬＰ１０〜１３を位置させた状態でほぼ長辺２Ａと平行な方向に相対移動する。
【００３９】
実施の形態２
図９は本発明に係る液晶表示装置の実施の形態２の光学シート２の正面図である。実施の形態１との相違点は、バックライトシャーシ６の周縁部６ｂに長辺側ピン８Ａだけを設けた横置き専用タイプ、又は短辺側ピン８Ｂだけを設けた縦置き専用タイプに構成してあり、その結果、横置き縦置き共用の光学シート２の長辺側孔２ａ及び短辺側孔２ｂの孔形状が簡略化されている。
【００４０】
１３個の長辺側孔２ａのうち、１個の位置決め孔ＣＹ２、４個の支持孔Ｂ２，Ｂ２、８個の支持孔Ａ２，Ａ２，Ａ２，Ａ２の各配置は実施の形態１と同一である。６個の短辺側孔２ｂのうち、１個の位置決め孔ＣＴ２、５個の支持孔Ｄ２，Ｄ２，Ｄ２…の各配置は実施の形態１と同一である。
【００４１】
長辺側の位置決め孔ＣＹ２は、長辺２Ａと平行な方向の位置決めのために長辺２Ａと平行な方向の寸法がピン８の直径と略同一の円形に形成された位置決め部ｋｙ２を有している。長辺側の支持孔Ｂ２，Ｂ２は、長辺２Ａと平行な方向の寸法がピン８の直径よりも大で、近接する長辺２Ａ側に該長辺２Ａと平行な縁部ｆｂ２を備えた領域ｒｂ２を有している。領域ｒｂ２は、長辺２Ａと平行な方向において短辺側孔２ｂが位置する側及び反対側の両縁部が共に半円形の長孔に形成してある。
【００４２】
長辺側の支持孔Ａ２，Ａ２，Ａ２，Ａ２は、長辺２Ａと平行な方向の寸法がピン８の直径よりも大で、近接する長辺２Ａ側に該長辺２Ａと平行な縁部ｆａ２を備えた領域ｒａ２を有している。領域ｒａ２は支持孔Ｂ２，Ｂ２の領域ｒｂ２と同様の形状であるが、縁部ｆａ２は縁部ｆｂ２よりも長辺２Ａと平行な部分が長く形成してあり、領域ｒａ２は領域ｒｂ２よりも長辺２Ａと平行な方向の寸法が長い。尚、位置決め孔ＣＹ２の位置決め部ｋｙ２の長辺側端部は支持孔Ａ２，Ａ２，Ａ２，Ａ２の縁部ｆａ２及び支持孔Ｂ２，Ｂ２の縁部ｆｂ２と同一線上に位置しており、支持孔の機能も果たしている。
【００４３】
短辺側の位置決め孔ＣＴ２は、短辺２Ｂと平行な方向の位置決めのために短辺２Ｂと平行な方向の寸法がピン８の直径と略同一の円形に形成された位置決め部ｋｔ２を有している。短辺側の支持孔Ｄ２，Ｄ２，Ｄ２…は、短辺２Ｂと平行な方向の寸法がピン８の直径よりも大で、近接する短辺２Ｂ側に該短辺２Ｂと平行な縁部ｆｄ２を備えた領域ｒｄ２を有している。領域ｒｄ２は、短辺２Ｂと平行な方向において長辺側孔２ａが位置する側及び反対側の両縁部が共に半円形の長孔に形成してある。尚、位置決め孔ＣＴ２の位置決め部ｋｔ２の短辺側端部は支持孔Ｄ２，Ｄ２，Ｄ２…の縁部ｆｄ２と同一線上に位置しており、支持孔の機能も果たしている。
【００４４】
図１０は本発明に係る液晶表示装置の実施の形態２の光学シート２とピン８との係合状態を示す断面図である。図１０（ａ）は光学シート２を横置き状態で吊り下げ支持する場合を示し、長辺側孔２ａの各孔ＣＹ２，Ａ２，Ｂ２がバックライトシャーシ６の長辺側の周縁部６ｂ１に設けた長辺側ピン８Ａの各ピンに係合して吊り下げられている。図１０（ｂ）は光学シート２を縦置き状態で吊り下げ支持する場合を示し、短辺側孔２ｂの各孔ＣＴ２，Ｄ２がバックライトシャーシ６の短辺側の周縁部６ｂ２に設けた短辺側ピン８Ｂの各ピンに係合して吊り下げられている。
【００４５】
図１１は本発明に係る液晶表示装置の実施の形態２の光学シート２とピン８との係合位置の移動を示す図である。実施の形態１と異なり、図１１では光学シート２が標準の寸法にある通常時、収縮時及び膨張時の夫々において、光学シート２とピン８との相対移動は簡略になっている。図１１の左側部分の横置きの場合では、長辺側の位置決め孔ＣＹ２の円形の位置決め部ｋｙ２は位置決めピンＬＰ７に係合したままの状態を維持しており、これによって光学シート２は長辺２Ａと平行な方向に位置決めされる。長辺側の支持孔Ｂ２，Ｂ２は縁部ｆｂ２を支持用ピンＬＰ５〜６，ＬＰ８〜９に係合された状態で長辺２Ａと平行な方向に相対移動する。長辺側の支持孔Ａ２，Ａ２，Ａ２，Ａ２は縁部ｆａ２を支持用ピンＬＰ１〜４，ＬＰ１０〜１３に係合された状態で長辺２Ａと平行な方向に相対移動する。尚、図１１は、図９において長辺側の位置決め孔ＣＹ２よりも左側に位置する支持孔Ａ２，Ａ２，Ａ２，Ａ２及び支持孔Ｂ２，Ｂ２の例を示しており、位置決め孔ＣＹ２よりも右側位置の支持孔Ａ２，Ａ２，Ａ２，Ａ２及び支持孔Ｂ２，Ｂ２の場合は収縮時と膨張時の相対移動の向きは逆になる。一方、短辺側の位置決め孔ＣＴ２及び支持孔Ｄ２，Ｄ２，Ｄ２…は、短辺側のピンＳＰ１〜６が設けられていないのでピン８に係合されずフリー状態にある。
【００４６】
図１１の右側部分の縦置きの場合では、光学シート２の短辺側の位置決め孔ＣＴ２の円形の位置決め部ｋｔ２は位置決めピンＳＰ１に係合したままの状態を維持しており、これによって光学シート２は短辺２Ｂと平行な方向に位置決めされる。短辺側の支持孔Ｄ２，Ｄ２，Ｄ２…は縁部ｆｄ２を支持用ピンＳＰ２〜６に係合された状態で短辺２Ｂと平行な方向に相対移動する。一方、長辺側の位置決め孔ＣＹ２、長辺側の支持孔Ａ２，Ａ２，Ａ２，Ａ２及び支持孔Ｂ２，Ｂ２は、長辺側のピンＬＰ１〜１３が設けられていないのでピン８に係合されずフリー状態にある。
【００４７】
尚、長辺側ピン８Ａ又は短辺側ピン８Ｂだけを設ける場合に、バックライトシャーシ６の周縁部６ｂの構造として長辺側ピン８Ａ又は短辺側ピン８Ｂの一方だけを設けた構造としてもよいが、バックライトシャーシ６の周縁部６ｂの構造として長辺側ピン８Ａ及び短辺側ピン８Ｂの両方を着脱できる構造とし、横置きタイプの場合は長辺側ピン８Ａだけを装着し、縦置きタイプの場合は短辺側ピン８Ｂだけを装着するようにしてもよい。他の構成は実施の形態１と同様である。
【００４８】
実施の形態３
前述の実施の形態１では、短辺側孔２ｂの位置決め孔ＣＴ１を長辺側孔２ａが位置する端部側に配置しているが、これに限るものではない。
図１２は本発明に係る液晶表示装置の実施の形態３の光学シート２の正面図である。実施の形態３では、短辺側孔２ｂの位置決め孔ＣＴ３を短辺２Ｂの中央側に位置させている。この配置では、光学シート２を縦置きする場合、光学シート２の長辺側孔２ａの各孔は長辺側ピン８Ａに対して短辺２Ｂと平行な方向にも相対移動するので、長辺側孔２ａの各孔の寸法を長辺２Ａと平行な方向及び短辺２Ｂと平行な方向の両方でピン８の直径より大きくする必要がある。
【００４９】
即ち、長辺側の位置決め孔ＣＹ３は、位置決め部ｋｙ３に対して近接する長辺２Ａとは反対側に隣接させて、長辺２Ａと平行な方向及び短辺２Ｂと平行な方向の寸法がピン８の直径よりも大となる領域ｒｙ３を有している。長辺側の支持孔Ｂ３，Ｂ３は、実施の形態１の縁部ｆｂ１と同様な縁部ｆｂ３を備え、該縁部ｆｂ３とは反対側に、長辺２Ａと平行な方向及び短辺２Ｂと平行な方向の寸法がピン８の直径よりも大となる領域ｒｂ３を有している。長辺側の支持孔Ａ３，Ａ３，Ａ３，Ａ３は、実施の形態１の縁部ｆａ１と同様な縁部ｆａ３を備え、該縁部ｆａ３とは反対側に、長辺２Ａと平行な方向及び短辺２Ｂと平行な方向の寸法がピン８の直径よりも大となる領域ｒａ３を有する。領域ｒｙ３、領域ｒｂ３及び領域ｒａ３は、長辺２Ａと平行な方向の寸法が短辺８Ｂと平行な方向の寸法よりも長く、右下角部を除く角部を円弧状とした長方形に形成してある。
【００５０】
また光学シート２を横置きする場合、光学シート２の短辺側孔２ｂの位置決め孔ＣＴ３は短辺側ピン８Ｂの位置決めピンに対して短辺２Ｂと平行な方向にも相対移動するので、短辺側孔２ｂの位置決め孔ＣＴ３は、位置決め部ｋｔ３に対して近接する短辺２Ｂとは反対側に隣接させて、長辺２Ａと平行な方向及び短辺２Ｂと平行な方向の寸法がピン８の直径よりも大となる領域ｒｔ３を有している。短辺側の支持孔Ｄ３，Ｄ３，Ｄ３…は、実施の形態１の縁部ｆｄ１と同様な縁部ｆｄ３を備え、該縁部ｆｄ３とは反対側に、長辺２Ａと平行な方向及び短辺２Ｂと平行の寸法がピン８の直径よりも大となる領域ｒｄ３を有している。
【００５１】
図１３は本発明に係る液晶表示装置の実施の形態３の光学シート２とピン８との係合位置の移動を示す図である。基本的には、図８に示す実施の形態１の動きと同様であるが、横置きの場合に、短辺側の位置決め孔ＣＴ３が位置決めピンＳＰ１に対して、長辺２Ａと平行な方向だけでなく短辺２Ｂと平行な方向にも相対移動し、縦置きの場合に、長辺側の位置決め孔ＣＹ３、支持孔Ｂ３，Ｂ３及び支持孔Ａ３，Ａ３，Ａ３，Ａ３が、係合する各ピンＬＰ１〜１３に対して、長辺２Ａと平行な方向だけでなく短辺２Ｂと平行な方向にも相対移動する点が、実施の形態１（図８）と相違する。尚、図１３は、横置きの場合では、図１２において長辺側の位置決め孔ＣＹ３よりも左側に位置する支持孔Ａ３，Ａ３，Ａ３，Ａ３及び支持孔Ｂ３，Ｂ３の例を示しており、位置決め孔ＣＹ３よりも右側の支持孔Ａ３，Ａ３，Ａ３，Ａ３及び支持孔Ｂ３，Ｂ３の場合は収縮時と膨張時の相対移動の向きは逆になる。また、縦置きの場合では、図１２において短辺側の位置決め孔ＣＴ３よりも下側に位置する支持孔Ｄ３，Ｄ３，Ｄ３の例を示しており、位置決め孔ＣＴ３よりも上側の支持孔Ｄ３，Ｄ３の場合は収縮時と膨張時の相対移動の向きは逆になる。
【図面の簡単な説明】
【００５２】
【図１】本発明に係る液晶表示装置の実施の形態１の全体構成を示す断面図である。
【図２】本発明に係る液晶表示装置の実施の形態１の主要部を示す正面図である。
【図３】図２のＩＩＩ−ＩＩＩ線における断面図である。
【図４】図２のＩＶ−ＩＶ線における断面図である。
【図５】本発明に係る液晶表示装置の実施の形態１の光学シートの正面図である。
【図６】本発明に係る液晶表示装置の実施の形態１の光学シートとピンとの係合状態を示す断面図である。
【図７】本発明に係る液晶表示装置の実施の形態１の位置決め孔と位置決めピンとの係合位置の変化を示す図である。
【図８】本発明に係る液晶表示装置の実施の形態１の光学シートとピンとの係合位置の移動を示す図である。
【図９】本発明に係る液晶表示装置の実施の形態２の光学シートの正面図である。
【図１０】本発明に係る液晶表示装置の実施の形態２の光学シートとピンとの係合状態を示す断面図である。
【図１１】本発明に係る液晶表示装置の実施の形態２の光学シートとピンとの係合位置の移動を示す図である。
【図１２】本発明に係る液晶表示装置の実施の形態３の光学シートの正面図である。
【図１３】本発明に係る液晶表示装置の実施の形態３の光学シートとピンとの係合位置の移動を示す図である。
【符号の説明】
【００５３】
１      液晶パネル
２      光学シート
２Ａ    長辺
２ａ    長辺側孔
ＣＹ１  位置決め孔
ＣＹ２  位置決め孔
ＣＹ３  位置決め孔
Ａ１    支持孔
Ａ２    支持孔
Ａ３    支持孔
Ｂ１    支持孔
Ｂ２    支持孔
Ｂ３    支持孔
２Ｂ    短辺
２ｂ    短辺側孔
ＣＴ１  位置決め孔
ＣＴ２  位置決め孔
ＣＴ３  位置決め孔
Ｄ１    支持孔
Ｄ２    支持孔
Ｄ３    支持孔
３      バックライト
６      バックライトシャーシ
６ｂ    周縁部
８      ピン
８Ａ    長辺側ピン
８Ｂ    短辺側ピン
【図１】
2009139572.tif 000003
【図２】
2009139572.tif 000004
【図３】
2009139572.tif 000005
【図４】
2009139572.tif 000006
【図５】
2009139572.tif 000007
【図６】
2009139572.tif 000008
【図７】
2009139572.tif 000009
【図８】
2009139572.tif 000010
【図９】
2009139572.tif 000011
【図１０】
2009139572.tif 000012
【図１１】
2009139572.tif 000013
【図１２】
2009139572.tif 000014
【図１３】
2009139572.tif 000015